(57)【要約】      （修正有）【課題】流体配管内に、流監視装置を確実かつ容易に進めることを可能にするツールセットを提供する。【解決手段】流体配管（Ｋ）内に流監視装置（１）設置するツールセットは、シース内の流監視装置（１）を受けるジャック（３３）を備えた少なくとも１つの半可撓性ホース（３１）と、ホースの内圧を監視するポンプ（３２）と、ホース（３１）が摺動しながら内部を通過する支持部材（４）と、支持部材（４）に担持されてホースを密閉式で配管（Ｋ）に挿入することを可能にする導入エアロック（５）によって構成される。【選択図】図１
2010019412.tif 000002
【特許請求の範囲】
【請求項１】
流監視装置（１）を流体配管（Ｋ）に設置するツールセットであって、
前記流監視装置（１）が、
上流側端部（１１１）と下流側端部（１１２）とを備えた中空本体（１１）と、
前記中空本体（１１）に一体化されて前記配管（Ｋ）内の流体流量が最大閾値流量を超えると閉じるように設計されたバルブ（１２）と、
前記中空本体（１１）の前記下流側端部（１１２）に設けられたカップ型密閉部材（１３）と、前記中空本体（１１）の前記上流側端部（１１１）と前記下流側端部（１１２）との間で前記中空本体（１１）に連結されて、前記中空本体（１１）の前記下流側端部（１１２）に向けて折り曲がる自由端（１４０）で弾性的に拡がるように設計された複数の弾性レッグ（１４）とを含み、
前記装置（１）が前記パイプに一旦設置されると、前記ツールセットがシース（２）を含み、前記装置が準備構成において最初に中空本体（１）の下流側端部（１１２）から前記シース（２）に挿入され、前記準備構成において前記密閉部材（１３）と前記レッグ（１４）とが前記シース（２）内で半径方向に折れ曲がり弾性的に加圧され、
ツールセットが、さらに、
中空半可撓性ホース（３１）と、
前記ホース（３１）の第１の端部（３１１）に連結され且つ前記ホース内の支配的圧力を監視するように適合されたポンプ（３２）と、
前記ホース（３１）内の支配的圧力に曝されるマノメータ（３２１）と、
前記ホース（３１）の第２の端部（３１２）に設けられて、前記ホース（３１）内の支配的圧力に曝されるシリンダ（３３１）とピストン（３１２）とを含み、前記装置（１）の前記下流側端部（１１２）側で前記ジャック（３３）の前記シリンダ（３３１）に前記シース（２）がネジ止めされているジャック（３３）と、
その第１の端部（４１）が前記ホース（３１）が摺動しながら内部を通過するメータカウンタ（４１１）を受け且つその第２の端部（４２）内を前記ホース（３１）が摺動しながら通過する支持部材（４）と、
前記ホース（３１）の前記ジャック（３３）を支える端部（３１２）が通過し且つ少なくとも１つの直線的な剛性の終端ガイド部（５００）を有する少なくとも１つのパイプ（５０）と、前記支持部材（４）に担持され且つ前記ホース（３１）を摺るように通過させるスタッフィングボックスなどの保持リング（５１１）を含む前記パイプ（５０）の第１の端部と、前記終端ガイド部（５００）を含み且つ前記終端ガイド部（５００）の延長部に設けられた前記配管（Ｋ）のアクセス可能部（Ｋｏ）に密閉式にネジ止めされるように適合された前記パイプ（５０）の第２の端部（５２）と、を含む導入エアロック（５）とを含み、
前記ホース（３１）が、前記支持部材（４）の２つの端部（４１、４２）の間に、アクセス可能で押したり引いたりすることができ前記ジャック（３３）を前記配管（Ｋ）に導入すること又は前記配管（Ｋ）から引き抜くことが可能な長手方向部（３１０）と、前記ジャック（３３）の前記シリンダ（３３１）内で、前記ホース（３１）の内圧に依存する位置を取り且つ前記装置（１）を前記シース（２）から選択的に突出させるように適合された前記ジャック（３３）の前記ピストン（３３２）とを有することを特徴とする、ツールセット。
【請求項２】
さらに、少なくとも１つのバイパス（６）と、遮断バルブ（６３）と、２つのテストバルブ（７１、７２）とを含み、
前記バイパス（６）が２つの端部（６１、６２）を有し、前記第１の端部（６１）が前記エアロック（５）に連結され、
前記遮断バルブ（６３）が前記バイパス（６）の前記端部（６１、６２）の間で前記バイパス（６）に取り付けられ、
前記２つのテストバルブ（７１、７２）が互いに平行な状態で前記バイパス（６）の前記第２の端部（６２）を大気圧に連通させ、
前記第１および第２のテストバルブ（７１、７２）が互いに異なる第１および第２の通路部をそれぞれ有し、前記第１の通路部が前記配管（Ｋ）からの最大閾値流量以下の流体流量を許容し、前記第２の通路部が前記配管（Ｋ）からの前記最大閾値流量よりも大きい流体流量を許容することを特徴とする、請求項１に記載のツールセット。
【請求項３】
前記エアロック（５）の前記パイプ（５０）が前記保持リング（５１１）と前記終端ガイド部（５００）との間に延びるエルボー（５３）を有し、
前記バイパス（６）が前記保持リング（５１１）と前記エルボー（５３）との間で前記エアロック（５）に連結されていることを特徴とする、請求項２に記載のツールセット。
【請求項４】
前記バイパス（６）に、前記バイパス（６）の前記第１の端部（６１）と前記遮断バルブ（６３）との間に設けられた膨張バルブ（６４）が備えられていることを特徴とする、請求項２または３に記載のツールセット。
【請求項５】
前記エアロック（５）の前記パイプ（５０）が前記終端ガイド部（５００）から間隔をあけて内部ストッパ（５４）と内部直径とを有し、前記内部直径が前記ジャック（３３）にハウジングを提供し且つ前記ジャック（３３）の周囲に流体流路を提供しており；前記内部ストッパ（５４）が前記流体の流れを遮断することなく前記保持リング（５１１）方向への前記ジャック（３３）の移動を阻止することを特徴とする、請求項２から４のいずれかひとつに記載のツールセット。
【請求項６】
シャーシ（８１）と、前記ホース（３１）が巻回されたスプール（８２）とを含み、前記スプールが前記シャーシ（８１）上に回転可能に支持されていることを特徴とする、上記請求項のいずれかひとつに記載のツールセット。
【請求項７】
前記支持部材（４）に適合するように且つ前記支持部材（４）用のスタンドを構成するように設計されている折りたたみ式ロッド（８３）をさらに含むことを特徴とする、上記請求項のいずれかひとつに記載のツールセット。
【請求項８】
前記シャーシ（８１）がホイールマレット（８）に属し、
前記折りたたみ式ロッド（８３）が、マレット（８）に適合するように且つ前記マレット（８）の移動を容易にするハンドルを構成するように設計されていることを特徴とする、請求項６または７に記載のツールセット。
【請求項９】
前記ジャック（３３）が少なくとも１つのジョイント（３３３）を含む、上記請求項のいずれかひとつに記載のツールセット。
【請求項１０】
半径方向に加圧された状態でシース（２）に部分的に導入された流監視装置（１）を流体配管（Ｋ）に挿入する上記請求項のいずれかひとつに記載のツールセットを設置する方法であって、
前記配管内に前記流監視装置（１）が存在しないことをチェックする工程と、
前記配管（Ｋ）のアクセス可能部（Ｋｏ）が備える分岐バルブ（ＲＢ）を閉じる工程と、
前記配管（Ｋ）の前記アクセス可能部（Ｋｏ）の端部であって前記分岐バルブ（ＲＢ）に対して下流に設けられた下流側端部（Ｋｏｘ）を開く工程と、
エアロック（５）のパイプ（５０）の第２の端部（５２）を前記配管（Ｋ）の前記アクセス可能部（Ｋｏ）の前記下流側端部（Ｋｏｘ）にネジ止めする工程と、
ホース（３１）を前記配管（Ｋ）内で押圧し、前記流監視装置（１）を前記分岐バルブ（ＲＢ）および前記アクセス可能部（Ｋｏ）を介して前記配管（Ｋ）内部で前進させる工程と、
前記装置（１）の前進に対する抵抗を検出する工程であって、前記抵抗が装置（１）がその設置点を越えていることを示す工程と、
所定の距離に亘って前記ホース（３１）を引いて前記装置（１）をその設置点まで移動させる工程と、
ポンプ（３２）を作動させて前記ホース（３１）の内圧を上昇させる工程と、
所定の期間待機する工程と、
再び前記ホース（３１）を引いて、前記エアロック（５）内にジャック（３３）を挿入する工程とを含むことを特徴とする、方法。
【請求項１１】
請求項２および５と組み合わされた請求項１から９のいずれかひとつに記載のツールセットを設置する、請求項１０に記載の方法であって、
前記ホース（３１）を引く工程が、前記ジャック（３３）が内部ストッパ（５４）によって遮断されるまで行われ、さらに、前記バイパス（６）の遮断バルブ（６３）を開く工程と；第１のテストバルブ（７１）を開く工程と；流体が前記配管（Ｋ）内を流れて前記第１のテストバルブ（７１）に達することをチェックする工程と；第２のテストバルブ（７２）を開く工程と；流体がもはや前記配管（Ｋ）内を流れておらず前記第２のテストバルブ（７２）に達しないことをチェックする工程と；前記テストバルブ（７１、７２）および前記バイパス（６）の前記遮断バルブ（６３）を閉じる工程とを含む、方法。
【請求項１２】
請求項２、４および５と組み合わされた請求項１から９のいずれかひとつに記載のツールセットを設置する、請求項１１に記載の方法であって、
さらに、前記エアロック（５）内の圧力が所定の圧力に達するまで、膨張バルブ（６４）を介して前記エアロック（５）内に流体を注入する工程と；前記バイパス（６）の前記遮断バルブ（６３）を開く工程と；前記第１のテストバルブ（７１）を開く工程と；流体が前記配管（Ｋ）内を流れて前記第１のテストバルブ（７１）に達することをチェックする工程と；前記第１のテストバルブ（７１）と前記バイパス（６）の前記遮断バルブ（６３）とを閉じる工程と；前記配管（Ｋ）の前記アクセス可能部（Ｋｏ）の前記分岐バルブ（ＲＢ）を閉じる工程と；前記エアロック（５）の前記パイプ（５０）の前記第２の端部（５２）を、前記配管（Ｋ）の前記アクセス可能部（Ｋｏ）の前記下流側端部（Ｋｏｘ）から取り外す工程と；前記配管（Ｋ）の前記アクセス可能部（Ｋｏ）の前記下流側端部（Ｋｏｘ）を閉じる工程と；前記分岐バルブ（ＲＢ）を再び開く工程とを含む、方法。
【発明の詳細な説明】
【技術分野】
【０００１】
本発明は概して、流体供給ネットワーク、特に気体供給ネットワークを管理し作動させる技術に関する。
【背景技術】
【０００２】
より具体的には本発明は第１の局面によると、流監視装置を流体配管に設置するツールセットであって、前記流監視装置が、上流側端部と下流側端部とを備えた中空本体と、前記中空本体に一体化されて前記配管内の流体流量が最大閾値流量を超えると閉じるように設計されたバルブと、前記中空本体の前記下流側端部に設けられたカップ型密閉部材と、前記中空本体の前記上流側端部と前記下流側端部との間で前記中空本体に連結されて、前記中空本体の前記下流側端部に向けて折り曲がる自由端で弾性的に拡がるように設計された複数の弾性レッグとを含み、前記装置が前記パイプに一旦設置された状態で、前記ツールセットがシースを含み、前記装置が準備構成において最初に中空本体の下流側端部から前記シースに挿入され、前記準備構成において前記密閉部材と前記レッグとが前記シース内で半径方向に折れ曲がり弾性的に加圧されるツールセットに関する。
【０００３】
関連するタイプの流監視装置は図３に示しており、特許出願ＦＲ２９１６５１１号に記載されている。
【０００４】
特許文献ＦＲ２８７０３１６号およびＦＲ２９１６５１１号に記載されているように、このタイプの装置は半径方向に加圧された状態でシースに部分的に導入された後に、流れを監視する配管内に設置しなければならない。
【図面の簡単な説明】
【０００５】
【図１】図１は、本発明の好ましい実施形態によるツールセットを有利な適用状態で示す模式図である。
【図２】図２は、本発明のツールセットが典型的に適合される配管の模式図である。
【図３】図３は、本発明のツールセットによって配管内に設置することが可能となる流監視装置の斜視図である。
【図４】図４は、本発明の好ましい実施形態によるツールセットの模式的部分断面図である。
【図５】図５は、本発明の好ましい実施形態によるツールセットの模式的部分断面図である。
【図６】図６Ａは、図４および図５に示すツールセットの詳細を示す拡大図である。  図６Ｂは、図４および図５に示すツールセットの詳細を示す拡大図である。  図６Ｃは、図４および図５に示すツールセットの詳細を示す拡大図である。
【図７】図７は、本発明の好ましい実施形態による部分的模式図である。
【図８】図８は、図７に示すが図８に示さないツールセット内で用いられるジャックを示す図である。
【図９】図９は、本発明によるツールセット内で用いられるジャックの拡大図であって、図３に示すような流監視装置の配管内への設置段階を示す図である。
【図１０】図１０は、本発明の好ましい実施形態によるツールセット内で用いられるテストバルブの構成を示す図である。
【発明の概要】
【発明が解決しようとする課題】
【０００６】
この状況を鑑みて本発明は特に、この設置を確実かつ容易に進めることを可能にするツールセットを提供するという目的を有する。
【課題を解決するための手段】
【０００７】
この目的を達成するために、上記の前提部に示す包括的定義に沿う本発明のツールセットは実質的に、さらに、中空半可撓性ホースと；前記ホースの第１の端部に連結され且つ前記ホースの内圧を監視するように適合されたポンプと；前記ホース内の支配的圧力に曝されるマノメータと；ジャックであって前記ホースの第２の端部に設けられて、前記ホース内の支配的圧力に曝されるシリンダとピストンとを含み、前記装置の前記下流側端部側で前記ジャックの前記シリンダに前記シースがネジ止めされているジャックと；支持部材であってその第１の端部が前記ホースが摺動しながら内部を通過するメータカウンタを受け且つその第２の端部内をも前記ホースが摺動しながら通過する支持部材と；導入エアロックとをさらに含み、前記導入エアロックが、前記ホースの、前記ジャックを受ける端部が通過する少なくとも１つのパイプを含み且つ少なくとも１つの直線で且つ剛性の終端ガイド部を有し、前記パイプの第１の端部が前記支持部材に担持され且つ前記ホースが摺動しながら通過する保持リング（例えばスタッフィングボックス(stuffing box)など）を含み、前記パイプの第２の端部が前記終端ガイド部を含み且つ前記終端ガイド部の延長部に設けられた前記配管のアクセス可能部に密閉式にネジ止めされるように適合されており、前記ホースが前記２つの支持端部の間に、アクセス可能で押したり引いたりすることができ前記ジャックを前記配管に導入すること又は前記配管から引き抜くことが可能な長手方向部を有し、前記ジャックの前記ピストンが前記ジャックの前記シリンダ内で、前記ホースの内圧に依存する位置を取り且つ前記装置を前記シースから選択的に突出させるように適合されていることを特徴とする。
【０００８】
しかし、さらに好ましくは本発明のツールセットは、前記ツールセットがさらに少なくとも１つのバイパスと、遮断バルブと、２つのテストバルブとを含んでもよく；前記バイパスが２つの端部を有しており、前記第１の端部が前記エアロックに連結されており；前記遮断バルブが前記バイパスの前記端部の間で前記バイパスに取り付けられており；前記２つのテストバルブが互いに平行な状態で前記バイパスの前記第２の端部を大気圧に連通させ；前記第１および第２のテストバルブが互いに異なる第１および第２の通路部をそれぞれ有しており、前記第１の通路部が前記配管からの最大閾値流量以下の流体流量を許容し、前記第２の通路部が前記配管からの前記最大閾値流量よりも大きい流体流量を許容するように達成される。
【０００９】
有利な形態では、前記エアロックの前記パイプが前記保持リングと前記終端ガイド部との間に延びるエルボーを有し；前記バイパスが前記保持リングと前記エルボーとの間で前記エアロックに連結されている。
【００１０】
好ましくは、前記バイパスにはさらに、前記バイパスの前記第１の端部と前記遮断バルブとの間に設けられた膨張バルブが備えられている。
【００１１】
前記エアロックの前記パイプは、前記終端ガイド部から間隔をあけて内部ストッパと内部直径とを有してもよく、前記内部直径が前記ジャックにハウジングを提供し且つ前記ジャックの周囲に流体流路を提供しており、前記内部ストッパが前記流体の流れを遮断することなく前記保持リング方向への前記ジャックの移動を阻止する。
【００１２】
本発明のツールセットはさらに、シャーシと、前記ホースが巻回されたスプールとを含んでもよく、前記スプールが前記シャーシ上に回転可能に支持されている。
【００１３】
本ツールセットはさらに、前記支持部材に適合するように且つ前記支持部材用のスタンドを構成するように設計されている折りたたみ式ロッドをさらに含んでもよい。
【００１４】
前記シャーシがホイールマレットに属している場合は、前記折りたたみ式ロッドがマレットに適合するように且つ前記マレットの移動を容易にするハンドルを構成するように設計されていてもよい。
【００１５】
本発明はさらに、半径方向に加圧された状態でシースに部分的に導入された流監視装置を流体配管に挿入するツールセットを設置する方法に関する。本方法は、前記配管内に前記流監視装置が存在しないことをチェックする工程と、前記配管のアクセス可能部が備える分岐バルブを閉じる工程と、前記配管の前記アクセス可能部の端部であって前記分岐バルブに対して下流に設けられた下流側端部を開く工程と、エアロックのパイプの第２の端部を前記配管の前記アクセス可能部の前記下流側端部にネジ止めする工程と、ホースを前記配管内で押圧し、前記流監視装置を前記分岐バルブおよび前記アクセス可能部を介して前記配管内部で前進させる工程と、前記装置の前進に対する抵抗を検出する工程であって、前記抵抗が装置がその設置点を越えていることを示す工程と、所定の距離に亘って前記ホースを引いて前記装置をその設置点まで移動させる工程と、ポンプを作動させて前記ホースの内圧を上昇させる工程と、所定の期間待機する工程と、再び前記ホースを引いて、前記エアロック内にジャックを挿入する工程とを含むことを特徴とする。
【００１６】
前記ホースを引く工程が、前記ジャックが内部ストッパによって遮断されるまで実行されてもよく、本方法はさらに、前記バイパスの遮断バルブを開く工程と、第１のテストバルブを開く工程と、流体が前記配管内を流れて前記第１のテストバルブに達することをチェックする工程と、第２のテストバルブを開く工程と、流体がもはや前記配管内を流れておらず前記第２のテストバルブに達していないことをチェックする工程と、前記テストバルブおよび前記バイパスの前記遮断バルブを閉じる工程とを含む。
【００１７】
本方法が最も完全なツールセットで実施される場合、本方法はさらに、前記エアロック内の圧力が所定の圧力に達するまで、膨張バルブを介して前記エアロック内に流体を注入する工程と、前記バイパスの前記遮断バルブを開く工程と、前記第１のテストバルブを開く工程と、流体が前記配管内を流れて前記第１のテストバルブに達することをチェックする工程と、前記第１のテストバルブと前記バイパスの前記遮断バルブとを閉じる工程と、前記配管の前記アクセス可能部の前記分岐バルブを閉じる工程と、前記エアロックの前記パイプの前記第２の端部を、前記配管の前記アクセス可能部の前記下流側端部から取り外す工程と、前記分岐バルブを再び開く工程とを含む。
【００１８】
本発明の他の特徴および利点は、本発明を限定しない実施例による以下の記載を、添付の図面を参照しながら読むことによって、より明らかとなる。
【発明を実施するための形態】
【００１９】
上記のように本発明は、典型的には気体供給設備から構成される流体配管Ｋ内に流監視装置１を設置する（図１）ことを可能にするツールセットに関する。
【００２０】
関連するタイプの流監視装置は特許出願ＦＲ２９１６５１１号に記載されており、さらに図３に示す。
【００２１】
このような装置１は典型的には、中空本体１１とバルブ１２とカップ型密閉部材１３と複数の弾性レッグ１４とを含む。
【００２２】
中空本体１１は、導入ノーズを構成する上流側端部１１１と、カップ型密閉部材１３を受ける下流側端部１１２とを有する。
【００２３】
バルブ１２は中空本体１１内に設けられており、配管Ｋ内の流体の流量が所定の閾値を超えると閉じ、それに伴って中空本体１１を閉状態にするように設計されている。
【００２４】
カップ型密閉部材１３は中空本体１１を取り囲み且つ配管Ｋの内壁に取り付けられており、強制的に配管内の流体の流れが中空本体１１を通過するようにする。その結果、バルブ１２が中空本体１１を閉状態にすると、流体の流れが遮断される。
【００２５】
弾性レッグ１４は中空本体１１の上流側端部１１１と下流側端部１１２との間で中空本体１１に連結されており、装置１が配管内に設置されると、自由端１４０が中空本体１１の下流側端部１１２方向に折れ曲がることにより弾性レッグ１４が弾性的に拡がって装置を配管内に保持するように設計されている。
【００２６】
しかし装置１を配管内に挿入するためには、前もってシース２（図９）内に部分的に導入しなければならない。それにより密閉部材１３とレッグ１４とがシース内で半径方向に折り曲がって弾性的に加圧される。
【００２７】
本発明のツールセットは、図３に示すような流監視装置１を、図２に示し且つより模式的には図１に示すような気体供給設備に挿入するために特によく適合されている。
【００２８】
このような設備は典型的には、分岐パイプを介して気体を分岐ボックスＣＢに供給する分岐プラグＰＢを含む。この場合は、分岐パイプは配管Ｋを構成している。
【００２９】
配管Ｋは地表レベルＮＳより上に配管アクセス可能部Ｋｏを有する。分岐バルブＲＢは配管アクセス可能部Ｋｏに設置されており、アクセス可能部Ｋｏのうち、気体流方向において分岐プラグＰＢから最も下流側に位置する端部Ｋｏｘを分岐プラブＰＢから遮断することを可能にする。
【００３０】
図１に示すように本発明のツールセットは、図３に示すような流監視装置１を配管アクセス可能部Ｋｏの下流側端部Ｋｏｘに導入した後、分岐バルブＲＢを介して配管Ｋに挿入することを可能にする。
【００３１】
このようなツールセットはシース２に加えて、中空の半可撓性ホース３１とポンプ３２とマノメータ３２１とジャック３３と支持部材４とメータカウンタ４１１と導入エアロック５とを特に含む。
【００３２】
ポンプ３２はホース３１の第１の端部３１１に連結されており、ホース３１内の内圧を監視することを可能にする、すなわち必要に応じて内圧を変化させることを可能にする。
【００３３】
マノメータ３２１は好ましくはポンプ３２に取り付けられており、ホース３１内の支配的圧力に曝される。マノメータ３２１はこれにより任意の時間にこの圧力を知ることを可能にする。
【００３４】
ジャック３３（図８）はホース３１の第２の端部３１２に設けられており、ホース３１内の支配的圧力に曝されるシリンダ３３１を含む。シリンダ３３１内ではピストン３３２が摺動する。
【００３５】
図３と図９とを比較することによってわかるように、シース２は例えばネジによって、装置１の下流側端部１１２でジャック３３のシリンダ３３１に連結されている。
【００３６】
従ってピストン３３２はジャック３３のシリンダ３３１内でホース３１内の支配的圧力に依存する位置にあるが、これにより装置１をシース２から制御可能に突出させるように適合されている。
【００３７】
ジャック３３は、湾曲した配管Ｋ内を容易に通過できるように、図８および図９に具体的に示すような１以上のジョイント３３３を有していてもよい。
【００３８】
メータカウンタ４１１は支持部材４の第１の端部４１に担持されており、ホース３１がこの中を摺動しながら通過する。メータカウンタ４１１は、カウンタ内のホースの摺動の範囲を、摺動方向を考慮しながら測定する。
【００３９】
エアロック５は支持部材４の第２の端部４２に担持されており、ホース３１はこの中をも摺動しながら通過する。
【００４０】
ホース３１は、支持部材４の第１の端部４１と第２の端部４２との間に長手方向部３１０を有する。長手方向部３１０にはいずれのオペレータもアクセスすることができ、押したり引いたりすることができる。これによりジャック３３を配管Ｋ内に導入したり配管Ｋから引き抜いたりすることが可能となる。
【００４１】
導入エアロック５は特にパイプ５０を含み、ホース３１の、ジャック３３を受ける端部３１２がパイプ５０を通過する。
【００４２】
パイプ５０の第１の端部５１は支持部材４の端部４２に担持されており、保持リング５１１を含む。保持リング５１１はスタッフィングボックスなどであり、ホース３１がこの中を摺動しながら通過する。
【００４３】
パイプ５０はさらに第２の端部５２に、直線で且つ剛性の終端ガイド部５００を形成する内部被覆を含む。終端ガイド部５００はジャック３３を、厳密に軸に沿ってガイドするように適合されている。
【００４４】
パイプ５０の第２の端部５２はさらに、配管Ｋのアクセス可能部Ｋｏの端部Ｋｏｘに密閉式にネジ止めされるように設計されている。この場合、配管のこの部分Ｋｏはパイプ５０の終端ガイド部５００の延長部に正確に位置するようになっている。
【００４５】
好ましい実施形態では、本発明のツールセットはさらに、バイパス６と遮断バルブ６３と２つのテストバルブ７１および７２とを含む。
【００４６】
バイパス６はエアロック５と連通し、第１の端部６１がエアロック５に連結されている。
【００４７】
遮断バルブ６３は、バイパス６の端部６１と端部６２との間でバイパス６に取り付けられており、それによりこれら２つの端部を互いに遮断することができる。
【００４８】
２つのテストバルブ７１および７２は、例えば可撓性管６５によってバイパス６の第２の端部６２に連結されており、互いに平行な状態でバイパス６の第２の端部６２を大気圧に連通させる。
【００４９】
テストバルブ７１および７２は、互いに異なる通路部を有する。
【００５０】
より厳密には、第１のテストバルブ７１は配管Ｋからの最大閾値流量以下の流体流量を許容する。最大閾値流量以下の流量は異常の欠如を特徴づける。他方第２のテストバルブ７２は、配管Ｋからの最大閾値流量を超える流体流量を許容する。
【００５１】
エアロック５のパイプ５０は例えば、保持リング５１１と終端ガイド部５００との間に延びるエルボー５３を含む。この場合、バイパス６は保持リング５１１とエルボー５３との間でエアロック５に連結されている。
【００５２】
さらに図４および図５に具体的に示すように、バイパス６は好ましくは、バイパス６の第１の端部６１と遮断バルブ６３との間に設けられた膨張バルブ６４を備える。
【００５３】
有利な形態ではエアロック５のパイプ５０は、終端ガイド部５００から間隔をあけて、内部ストッパ５４を有する（図６Ａおよび図６Ｂ）。内部ストッパ５４は、ジャック３３が保持リング５１１方向に後退することを阻止するように適合されている。
【００５４】
パイプ５０は内部ストッパ５４と終端ガイド部５００との間で、ジャック３３にハウジングを提供し同時にジャック３３の周囲に流路を提供する内径を有する。内部ストッパ５４はそれ自体、この流体の流れを阻止しないように設計されている。
【００５５】
図１および図７に示すように、本発明のツールセットはさらに、シャーシ８１とスプール８２とを含んでもよい。ホース３１はスプール８２に巻回されており、スプール８２は回転可能にシャーシ８１上に支持されている。
【００５６】
本発明の好ましい実施形態では、シャーシ８１はホイール８０を備えたマレット８に属している。
【００５７】
図１、図４および図５に示す折りたたみ式ロッド８３が設けられて、支持部材４に適合し且つ支持部材４用のスタンドを構成するようになっていてもよく、さらにマレットに適合し且つマレット８の移動を容易にするハンドルを構成するようになっていてもよい。
【００５８】
本発明はさらに、半径方向に加圧された状態で部分的にシース２内に導入された流監視装置１を気体配管Ｋに挿入するために上記ツールセットを設置する方法に関する。
【００５９】
本方法は特に以下の工程を含む：
（ａ）配管Ｋ内に流監視装置１が存在しないことをチェックする工程と、
（ｂ）配管Ｋのアクセス可能部Ｋｏが備える分岐バルブＲＢを閉じる工程と、
（ｃ）配管Ｋのアクセス可能部Ｋｏの下流側端部Ｋｏｘ、すなわちこのパイプ部のうち分岐バルブＲＢから下流側に設けられた端部を開く工程と、
（ｄ）エアロック５のパイプ５０の第２の端部５２を配管Ｋのアクセス可能部Ｋｏの下流側端部Ｋｏｘにネジ止めする工程と、
（ｅ）ホース３１のアクセス可能長手方向部３１０に作用してホースを配管Ｋ内で押圧し、流監視装置１を分岐バルブＲＢおよびアクセス可能部Ｋｏにより配管Ｋ内部で前進させる工程と、
（ｆ）装置１の前進に対する抵抗を検出する工程であって、この抵抗が装置１が分岐プラグＰＢの垂直壁に接し配管Ｋ内の最適設置点を越えていることを示す工程と、
（ｇ）所定の距離に亘ってホース３１を引いて装置１を逆に移動させ、配管Ｋ内の最適設置位置で置換する工程と、
（ｈ）ポンプ３２を作動させてホース３１の内圧を上昇させる工程と、
（ｉ）所定の期間待機して、ホース３１内の支配的圧力の影響下でジャック３３のピストン３３２がシース２内で装置１を引き留める傾向にある摩擦力に打ち勝つことを可能にし、装置をシースから突出させることにより移動させる工程と、
（ｊ）再びホース３１を引いて、ホース３１がストッパ５４で遮断されるまでエアロック５のジャック３３を挿入する工程。
【００６０】
好ましい実施形態では、配管Ｋ内に装置１を設置することは、装置の性能をチェックすることを含み、本発明の方法は、以下の工程をさらに含む。
（ｋ）バイパス６の遮断バルブ６３を開く工程と、
（ｌ）第１のテストバルブ７１を開く工程であって、これにより通常の気体流量のみを許容することによって配管Ｋが外部の空気と連通することを可能にする工程と、
（ｍ）気体が配管Ｋ内を流れて第１のテストバルブ７１に達することをチェックする工程であって、これにより装置１が配管Ｋを遮断しておらずバルブ１２が異常閾値より低い気体流量の通過を許容することをチェックする工程と、
（ｎ）第２のテストバルブ７２を開く工程であって、これにより異常に多い気体流量を許容することによって配管Ｋが外部の空気と連通することを可能にする工程と、
（ｏ）流体がもはや配管Ｋ内を流れておらず第２のテストバルブ７２に達しないことをチェックする工程であって、これによりバルブ１２がその機能を正しく果たしていることをチェックする工程と、
（ｐ）テストバルブ７１および７２並びにバイパス６の遮断バルブ６３を閉じる工程。
【００６１】
工程（ｏ）が実際に上手く達成されれば、装置１は、バルブ１２が分岐プラグＰＢから分岐ボックスＣＢを遮断する構成となる。
【００６２】
従ってバルブ１２が通常の気体流量の通過を許可する構成で装置１を置換することが通常必要である。
【００６３】
この目的を達成するために、本発明の方法は、以下の追加の工程を含む。
（ｑ）エアロック５と配管Ｋとが装置１のバルブ１２が再び開状態になる所定の圧力に達するまで、膨張バルブ６４を介してエアロック５内に気体または空気を注入する工程と、
（ｒ）バイパス６の遮断バルブ６３を開く工程と、
（ｓ）第１のテストバルブ７１を開く工程と、
（ｔ）流体が配管Ｋ内を流れて第１のテストバルブ７１に達することをチェックする工程と、
（ｕ）第１のテストバルブ７１とバイパス６の遮断バルブ６３とを閉じる工程と、
（ｖ）配管Ｋのアクセス可能部Ｋｏの分岐バルブＲＢを閉じる工程と、
（ｗ）エアロック５のパイプ５０の第２の端部５２を、配管Ｋのアクセス可能部Ｋｏの下流側端部Ｋｏｘから取り外す工程と、
（ｘ）配管Ｋのアクセス可能部Ｋｏの下流側端部Ｋｏｘを閉じる工程と、
（ｙ）分岐バルブＲＢを再び開く工程。
【００６４】
工程（ａ）の設置には様々な技術が公知であるが、当業者であれば本明細書の記載を読むことにより、この工程は本発明のツールセットを用い且つ上記の一連の工程（ｋ）から（ｏ）を実行することによっても実施し得ることを理解する。
【図１】
2010019412.tif 000003
【図２】
2010019412.tif 000004
【図３】
2010019412.tif 000005
【図４】
2010019412.tif 000006
【図５】
2010019412.tif 000007
【図６】
2010019412.tif 000008
【図７】
2010019412.tif 000009
【図８】
2010019412.tif 000010
【図９】
2010019412.tif 000011
【図１０】
2010019412.tif 000012
【外国語明細書】
2010019412000001.pdf